【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
各所定の帯域幅で無線伝送されるデータ信号にチャネル補償用のパイロット信号を時間多重し、該多重したパイロット信号とデータ信号とをユーザ間で周波数多重させたフォーマットの信号を送信する無線通信システムのパイロット信号送信方法において、
前記データ信号よりも帯域幅が広い第１のパイロット信号と、該データ信号よりも帯域幅が狭い第２のパイロット信号とを時間軸上で混在させて多重することを特徴とするパイロット信号送信方法。
【請求項２】
第１，第２のパイロット信号は系列長が限定された自然数の系列をＤＦＴ処理した周波数成分の系列からなることを特徴とする請求項１記載のパイロット信号送信方法。
【請求項３】
データ信号の帯域幅を超える、系列長が最小の素数の系列からなる第１のパイロット信号と、該データ信号の帯域幅を超えない、系列長が最大の素数の系列からなる第２のパイロット信号とを時間軸上で交互に多重することを特徴とする請求項２記載のパイロット信号送信方法。
【請求項４】
データ信号の帯域が隣接するユーザ間では同一のタイミングに伝送される互いのパイロット信号が重ならないように多重することを特徴とする請求項３記載のパイロット信号送信方法。
【請求項５】
各所定の帯域幅で無線伝送されるデータ信号にチャネル補償用のパイロット信号を時間多重し、該多重したパイロット信号とデータ信号とをユーザ間で周波数多重させたフォーマットの信号を送信する無線通信システムのパイロット信号送信方法であって、
データ信号の帯域幅を超えない、系列長が最大の素数の系列をＤＦＴ処理した周波数成分の系列からなるパイロット信号を該データ信号の帯域幅の片端いっぱいにオフセットさせて多重し、該オフセットさせる方向は時間軸上で変化することを特徴とするパイロット信号送信方法。
【請求項６】
各所定の帯域幅で無線伝送されるデータ信号にチャネル補償用のパイロット信号を時間多重し、該多重したパイロット信号とデータ信号とをユーザ間で周波数多重させたフォーマットの信号を送信する無線通信システムのパイロット信号送信方法であって、
前記パイロット信号は系列長が素数の系列をＤＦＴ処理した周波数成分の系列からなると共に、データ信号の帯域幅を前記パイロット信号の系列長に対応する帯域幅に一致させ
たことを特徴とするパイロット信号送信方法。
【請求項７】
基地局と該基地局に接続する１又は２以上の移動局との間で各所定の帯域幅で無線伝送されるデータ信号にチャネル補償用のパイロット信号を時間多重し、該多重したパイロット信号とデータ信号とをユーザ間で周波数多重させたフォーマットの信号を送信する移動通信システムであって、
基地局は各移動局に割り付けるデータ信号の帯域幅を下り制御チャネルで各移動局に通知し、
各移動局は自局のデータ信号の帯域幅を超える、系列長が最小の素数の系列をＤＦＴ処理した周波数成分の系列からなる第１のパイロット信号と、該データ信号の帯域幅を超えない、系列長が最大の素数の系列をＤＦＴ処理した周波数成分の系列からなる第２のパイロット信号とを時間軸上で交互に多重すると共に、データ信号の帯域が隣接する移動局間では同一のタイミングに伝送される互いのパイロット信号が重ならないように多重することを特徴とする移動通信システム。
【請求項８】
基地局と該基地局に接続する１又は２以上の移動局との間で各所定の帯域幅で無線伝送されるデータ信号にチャネル補償用のパイロット信号を時間多重し、該多重したパイロット信号とデータ信号とをユーザ間で周波数多重させたフォーマットの信号を送信する移動通信システムであって、
基地局は各移動局に割り付けるデータ信号の帯域幅と共にパイロット信号に割り付ける帯域幅の優先度情報を下り制御チャネルにより各移動局に通知し、
各移動局は自局の優先度情報がハイの場合は自局のデータ信号の帯域幅を超える、系列長が最小の素数の系列をＤＦＴ処理した周波数成分の系列からなる第１のパイロット信号を多重することを特徴とする移動通信システム。
【請求項９】
各移動局は自局の優先度情報がローの場合は、自局のデータ信号の帯域幅を超えない、系列長が最大の素数の系列をＤＦＴ処理した周波数成分の系列からなる第２のパイロット信号を多重することを特徴とする請求項８記載の移動通信システム。
【請求項１０】
各移動局は自局の優先度情報が中間の場合は第１，第２のパイロット信号を時間軸上で交互に多重すると共に、データ信号の帯域が隣接する移動局間では同一のタイミングに伝送される互いのパイロット信号が重ならないように多重することを特徴とする請求項９記載の移動通信システム。
【手続補正２】
【補正対象書類名】明細書
【補正対象項目名】０００１
【補正方法】変更
【補正の内容】
【０００１】
本発明はパイロット信号送信方法及び移動通信システムに関する。特に、所定の帯域幅で無線伝送されるデータ信号にチャネル補償用のパイロット信号を時間多重（ＴＤＭ）し、該多重したパイロット信号とデータ信号とをユーザ毎に周波数多重（ＦＤＭ）したフォーマットの信号を送信するパイロット信号送信方法及び移動通信システムに用いて好適である。
【手続補正３】
【補正対象書類名】明細書
【補正対象項目名】００１９
【補正方法】変更
【補正の内容】
【００１９】
本発明の第１の態様によるパイロット信号送信方法は、各所定の帯域幅で無線伝送されるデータ信号にチャネル補償用のパイロット信号を時間多重し、該多重したパイロット信
号とデータ信号とをユーザ間で周波数多重させたフォーマットの信号を送信する無線通信システムのパイロット信号送信方法において、前記データ信号よりも帯域幅が広い第１のパイロット信号と、該データ信号よりも帯域幅が狭い第２のパイロット信号とを時間軸上で混在させて多重するものである。
【手続補正４】
【補正対象書類名】明細書
【補正対象項目名】００２７
【補正方法】変更
【補正の内容】
【００２７】
本発明の第５の態様によるパイロット信号送信方法は、各所定の帯域幅で無線伝送されるデータ信号にチャネル補償用のパイロット信号を時間多重し、該多重したパイロット信号とデータ信号とをユーザ間で周波数多重させたフォーマットの信号を送信する無線通信システムのパイロット信号送信方法であって、データ信号の帯域幅を超えない、系列長が最大の素数の系列をＤＦＴ処理した周波数成分の系列からなるパイロット信号を該データ信号の帯域幅の片端いっぱいにオフセットさせて多重し、該オフセットさせる方向は時間軸上で変化するものである。
【手続補正５】
【補正対象書類名】明細書
【補正対象項目名】００２９
【補正方法】変更
【補正の内容】
【００２９】
本発明の第６の態様によるパイロット信号送信方法は、各所定の帯域幅で無線伝送されるデータ信号にチャネル補償用のパイロット信号を時間多重し、該多重したパイロット信号とデータ信号とをユーザ間で周波数多重させたフォーマットの信号を送信する無線通信システムのパイロット信号送信方法であって、前記パイロット信号は系列長が素数の系列をＤＦＴ処理した周波数成分の系列からなると共に、データ信号の帯域幅を前記パイロット信号の系列長に対応する帯域幅に一致させたものである。従って、多数の相関の小さいパイロット信号を多重出来ると共に、データ信号帯域を無駄なく使用できる。
【手続補正６】
【補正対象書類名】明細書
【補正対象項目名】００３０
【補正方法】変更
【補正の内容】
【００３０】
本発明の第７の態様による移動通信システムは、基地局と該基地局に接続する１又は２以上の移動局との間で各所定の帯域幅で無線伝送されるデータ信号にチャネル補償用のパイロット信号を時間多重し、該多重したパイロット信号とデータ信号とをユーザ間で周波数多重させたフォーマットの信号を送信する移動通信システムであって、基地局は各移動局に割り付けるデータ信号の帯域幅を下り制御チャネルで各移動局に通知し、各移動局は自局のデータ信号の帯域幅を超える、系列長が最小の素数の系列をＤＦＴ処理した周波数成分の系列からなる第１のパイロット信号と、該データ信号の帯域幅を超えない、系列長が最大の素数の系列をＤＦＴ処理した周波数成分の系列からなる第２のパイロット信号とを時間軸上で交互に多重すると共に、データ信号の帯域が隣接する移動局間では同一のタイミングに伝送される互いのパイロット信号が重ならないように多重するものである。
【手続補正７】
【補正対象書類名】明細書
【補正対象項目名】００３１
【補正方法】変更
【補正の内容】
【００３１】
本発明の第８の態様による移動通信システムは、基地局と該基地局に接続する１又は２以上の移動局との間で各所定の帯域幅で無線伝送されるデータ信号にチャネル補償用のパイロット信号を時間多重し、該多重したパイロット信号とデータ信号とをユーザ間で周波数多重させたフォーマットの信号を送信する移動通信システムであって、基地局は各移動局に割り付けるデータ信号の帯域幅と共にパイロット信号に割り付ける帯域幅の優先度情報を下り制御チャネルにより各移動局に通知し、各移動局は自局の優先度情報がハイの場合は自局のデータ信号の帯域幅を超える、系列長が最小の素数の系列をＤＦＴ処理した周波数成分の系列からなる第１のパイロット信号を多重するものである。